【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
パスワードによって保護されたエンティティへのユーザのログオン中の入力パスワードの検証方法であって、プロセッサ（１１１、１２１）におけるステップ、
前記入力パスワードの少なくとも１つのキャラクタを受信するステップ（３１０）、および、
受信された前記少なくとも１つのキャラクタが、正当なパスワードのための少なくとも１つの要件を設定する、既に定義済のプロパティ（α）を満たすことを確認するステップ（３２０）
を有する、前記方法。
【請求項２】
前記入力パスワードのすべてのキャラクタおよび前記入力パスワードが完成したという指示が受信され、および、該完成した入力パスワードが前記エンティティを保護するパスワードと一致することを確認するステップ（３５０）をさらに有する、請求項１に記載の方法。
【請求項３】
前記完成した入力パスワードが第１の部分および第２の部分を有し、前記プロパティが前記第２の部分によって表され、および、前記プロパティの順守が、前記第１の部分を処理して該処理された第１の部分が前記第２の部分と一致するかを調べることによって確認される、請求項２に記載の方法。
【請求項４】
前記プロパティが前記ユーザに依存する、請求項１または２に記載の方法。
【請求項５】
前記ユーザのプロパティを順守しない所定数の入力パスワードまたは入力パスワードの部分を検出したときに、ブルートフォースアタックが試みられたと判断するステップをさらに有する、請求項１から４のいずれか１項に記載の方法。
【請求項６】
ブルートフォースアタックが試みられたと判断したときに適切なアクションを取るステップをさらに有する、請求項５に記載の方法。
【請求項７】
適切なアクションが、管理者への警告を発行すること、ユーザへの警告を発行すること、システムを遮断すること、および、さらなるログインの試みを受け入れる前に所定の時間待つことのうちの少なくとも１つを含む、請求項６に記載の方法。
【請求項８】
パスワードによって保護されたエンティティへのユーザのログオン中に入力パスワードを確認するためのデバイス（１１０、１２０）であって、
パスワードのキャラクタを受信するためのインターフェース（１１３、１１４、１２３、１２４）、および、
受信された少なくとも１つのパスワードキャラクタが正当なパスワードのための少なくとも１つの要件を設定する、既に定義済のプロパティ（α）を満たすことを確認するためのプロセッサ（１１１、１２１）
を備える、前記デバイス。
【請求項９】
前記インターフェースは、さらに、前記入力パスワードが完成したという指示を受信するためであり、前記プロセッサは、さらに、該完成した入力パスワードが、前記エンティティを保護するパスワードと一致することを確認するためである、請求項８に記載のデバイス。
【請求項１０】
前記完成した入力パスワードが第１の部分および第２の部分を有し、前記プロパティが前記第２の部分によって表され、前記プロセッサが、前記第１の部分を処理して該処理された第１の部分が前記第２の部分と一致するかを調べることによって、前記プロパティの順守を確認するようになされる、請求項９に記載のデバイス。
【請求項１１】
前記プロパティが前記パスワードのユーザに依存する、請求項８または９に記載のデバイス。
【請求項１２】
前記プロセッサは、さらに、前記ユーザのプロパティを順守しない所定数の入力パスワードまたは入力パスワードの部分を検出したときに、ブルートフォースアタックが試みられたと判断するためである、請求項８から１１のいずれか１項に記載のデバイス。
【請求項１３】
前記プロセッサが、ブルートフォースアタックが試みられたと判断したときに、適切なアクションをさらに取る、請求項１２に記載のデバイス。
【手続補正２】
【補正対象書類名】明細書
【補正対象項目名】００７４
【補正方法】変更
【補正の内容】
【００７４】
本明細書で開示される各機能、並びに（適切な場合には）特許請求の範囲および図面は、独立して、または任意の適切な組合せで提供可能である。ハードウェアに実装されるも
のとして記載された機能は、ソフトウェアにも実装可能であり、その逆の場合も同じである。本特許請求の範囲に現れる参照番号は、単に例としてであり、本特許請求の範囲への制限的効果を何ら有さない。
本発明の好ましい実施形態を以下に示す。
付記１．パスワードによって保護されたエンティティへのユーザのログオン中の入力パスワードの検証方法であって、プロセッサ（１１１、１２１）におけるステップ、
前記入力パスワードの少なくとも１つのキャラクタを受信するステップ（３１０）、および、
受信された前記少なくとも１つのキャラクタが、正当なパスワードのための少なくとも１つの要件を設定する、既に定義済のプロパティ（α）を満たすことを確認するステップ（３２０）
を有する、前記方法。
付記２．前記入力パスワードのすべてのキャラクタおよび前記入力パスワードが完成したという指示が受信され、および、該完成した入力パスワードが前記エンティティを保護するパスワードと一致することを確認するステップ（３５０）をさらに有する、付記１に記載の方法。
付記３．前記完成した入力パスワードが第１の部分および第２の部分を有し、前記プロパティが前記第２の部分によって表され、および、前記プロパティの順守が、前記第１の部分を処理して該処理された第１の部分が前記第２の部分と一致するかを調べることによって確認
される、付記２に記載の方法。
付記４．前記プロパティが前記ユーザに依存する、付記１または２に記載の方法。
付記５．前記ユーザのプロパティを順守しない所定数の入力パスワードまたは入力パスワードの部分を検出したときに、ブルートフォースアタックが試みられたと判断するステップをさらに有する、付記１から４のいずれか１つに記載の方法。
付記６．ブルートフォースアタックが試みられたと判断したときに適切なアクションを取るステップをさらに有する、付記５に記載の方法。
付記７．適切なアクションが、管理者への警告を発行すること、ユーザへの警告を発行すること、システムを遮断すること、および、さらなるログインの試みを受け入れる前に所定の時間待つことのうちの少なくとも１つを含む、付記６に記載の方法。
付記８．パスワードによって保護されたエンティティへのユーザのログオン中に入力パスワードを確認するためのデバイス（１１０、１２０）であって、
パスワードのキャラクタを受信するためのインターフェース（１１３、１１４、１２３、１２４）、および、
受信された少なくとも１つのパスワードキャラクタが正当なパスワードのための少なくとも１つの要件を設定する、既に定義済のプロパティ（α）を満たすことを確認するためのプロセッサ（１１１、１２１）
を備える、前記デバイス。
付記９．前記インターフェースは、さらに、前記入力パスワードが完成したという指示を受信するためであり、前記プロセッサは、さらに、該完成した入力パスワードが、前記エンティティを保護するパスワードと一致することを確認するためである、付記８に記載のデバイス。
付記１０．前記完成した入力パスワードが第１の部分および第２の部分を有し、前記プロパティが前記第２の部分によって表され、前記プロセッサが、前記第１の部分を処理して該処理された第１の部分が前記第２の部分と一致するかを調べることによって、前記プロパティの順守を確認するようになされる、付記９に記載のデバイス。
付記１１．前記プロパティが前記パスワードのユーザに依存する、付記８または９に記載のデバイス。
付記１２．前記プロセッサは、さらに、前記ユーザのプロパティを順守しない所定数の入力パスワードまたは入力パスワードの部分を検出したときに、ブルートフォースアタックが試みられたと判断するためである、付記８から１１のいずれか１項に記載のデバイス。
付記１３．前記プロセッサが、ブルートフォースアタックが試みられたと判断したときに、適切なアクションをさらに取る、付記１２に記載のデバイス。
付記１４．適切なアクションが、管理者に警告を発行すること、ユーザに警告を発行すること、システムを遮断すること、および、さらなるログオンの試みを受け入れる前に所定の時間待つことのうちの少なくとも１つを含む、付記１３に記載のデバイス。
付記１５．ソフトウェアプログラムの命令を記憶したコンピュータプログラムプロダクト（１４０）であって、前記命令が、プロセッサ（１１１、１２１）によって実行されるとき、パスワードによって保護されたエンティティへのユーザのログオン中に、
入力パスワードの少なくとも１つのキャラクタを受信するステップ（３１０）、および、
受信された前記少なくとも１つのキャラクタが、正当なパスワードのための少なくとも１つの要件を設定する、既に定義済のプロパティ（α）を満たすことを確認するステップ（３２０）
を実行する、前記コンピュータプログラムプロダクト。